(57)【要約】      （修正有）【課題】各足指間を優しく綺麗に簡易迅速に洗浄し得ると共に、構成が簡単で低廉なコストで提供することができる足指間洗浄具を提供する。【解決手段】布状生地で適宜長さの洗浄紐２を形成し、プラスチック成形した一対の把持板５の前側に列設した洗浄紐挟着口１４に亘り洗浄紐２の両端部１３を夫々挟着して数本並列状態に装着してある。把持板５は夫々一対の側板からなり、各内側に設けた凸部と凹部からなる結合手段で一体に接合し得るようにしてある。把持板５は、その側板の後側端にヒンジ部を設けて一体に成形する場合もある。把持板５は中央部に指掛孔を形成して、前側に洗浄紐挟着口１４を設け、後側を摘み部にすることもできる。【選択図】図１
2014036768.tif 000002
【特許請求の範囲】
【請求項１】
布状生地で適宜長さの洗浄紐を形成し、プラスチック成形した一対の把持板の前側に列設にした洗浄紐挟着口に上記紐の両端部を夫々挟着して数本並列状態に装着してなる足指間洗浄具。
【請求項２】
上記把持板は、一対の側板からなりその内側適所に設けた結合手段で一体に接合してある請求項１記載の足指間洗浄具。
【請求項３】
上記把持板は、その後側端にヒンジ部を設けて内側に折り重ね得るようにしてある請求項１又は２記載の足指間洗浄具。
【請求項４】
上記把持板は、中央部に指掛孔を設け、前側に洗浄紐挟着口を後側にヒンジ部を夫々設けてある請求項１，２又は３記載の足指間洗浄具。
【請求項５】
洗浄紐は２本ずつその両端部を結合して洗浄紐挟着口に係着してある請求項１乃至４のいずれかの項記載の足指間洗浄具。
【請求項６】
洗浄紐は１本の帯状の長い紐を用いて、両把持板の挟着口に亘る適宜長さ毎に屈曲させて、４本の洗浄紐を同時に連設形成してある請求項１乃至５のいずれかの項記載の足指間洗浄具。
【請求項７】
上記洗浄紐の生地は木綿、化繊などでタオル地状に織成したものを用いてある請求項１乃至６のいずれかの項記載の足指間洗浄具。
【請求項８】
上記洗浄紐は、その両端部側を中央部分より稍細く形成して紐相互に隙間を設けてある請求項１乃至７のいずれかの項記載の足指間洗浄具。
【請求項９】
上記洗浄紐は４本並列してある請求項１乃至８のいずれかの項記載の足指間洗浄具。
【発明の詳細な説明】
【技術分野】
【０００１】
本発明は、足の指の間を簡易に洗浄できるようにした洗浄具に関する。
【背景技術】
【０００２】
従来、入浴時に足指を洗う場合には、手の指か、タオルやスポンジ等の洗浄具を使用して洗っているが、洗浄が不十分な場合は水虫の原因ともなりうるため、足の指の間は特に念入りに洗浄する必要がある。この場合、タオルやスポンジ等の洗浄具では洗いづらく不便であり、手の指では十分に洗浄することができないものである。また、それぞれの指の間を洗うには時間がかかり煩わしい思いをしていた。
足指間洗浄具として下記特許文献のようなものが知られていたが、それぞれの足指間に対して別々に洗浄する必要があり、煩わしさは変わらなかった。
【特許文献１】特開２０００−５０９６０
【発明の開示】
【発明が解決しようとする課題】
【０００３】
本発明は上記難点に鑑み、各足指間を優しく綺麗に簡易迅速に洗浄し得ることにより常に清潔に保ち、水虫予防・治療に役立たせると共に、構成が簡単で低廉なコストで提供することができる足指間洗浄具を提供するものである。
【課題を解決するための手段】
【０００４】
上記目的を達成するために、本発明においては、
布状生地で適宜長さの洗浄紐を形成し、プラスチック成形した一対の把持板の前側に列設した紐挟着口に亘り上記紐の両端部を夫々挟着して数本並列状態に装着してある。
而して、上記把持板は夫々一対の側板からなり、各内側に設けた凸部と凹部からなる結合手段で一体に接合し得るようにしてある。
また、上記把持板は、その側板の後側端にヒンジ部を設けて一体に成形する場合もある。
更に、上記把持板は中央部に指掛孔を形成して、前側に洗浄紐挟着口を設け、後側を摘み部にすることもできる。
上記洗浄紐は２本ずつその両端部を結合して洗浄紐挟着口に係着することもできる。また１本の帯状の長い紐を用いて、両把持板の挟着口に亘る適宜長さ毎に屈曲させて、４本の洗浄紐を同時に連設形成することもできる。
更に、洗浄紐の生地は木綿、化繊などでタオル地状に織成したものを用い、その両端部近くは中央部分より稍細く形成して相互に隙間を設けていることもある。また、洗浄紐は４本並列してある。
【発明の効果】
【０００５】
本発明に係る足指間洗浄具は、木綿、化繊などの生地で適宜長さの洗浄紐を形成し、プラスチック成形した一対の把持板の各前側に列設にした紐挟着口に上記紐の両端部を夫々挟着して数本並列状態に装着してあるから一対の把持板を両手で掴み、各足指間を洗浄紐で同時に優しく且つ綺麗に簡易迅速に洗浄し得る。而して両側板は簡単な構成で容易に接合できると共に低廉なコストで提供することができる。
また、洗浄紐の両端部近くは中央部より稍細く形成して相互に隙間を設けると、この隙間部分から容易に洗浄紐を夫々の指間に挿入することができ、中央部分で各指間を洗浄し易い。
【図面の簡単な説明】
【０００６】
【図１】実施例１の全体平面図である。
【図２】同上側板を分離した状態の内面図である。
【図３】図１におけるＡ‐Ａ線断面図である。
【図４】ヒンジを設けた別実施例の把持板を開いた状態の内面図である。
【図５】指掛孔を設けた別実施例の把持板を開いた内面図である。
【図６】同上把持板を閉じた状態の一部平面図である。
【実施例１】
【０００７】
以下、添付図面に従って本発明の一実施例を説明する。
図１乃至図３において、１は足指間洗浄具を示し、２はその洗浄紐であって、木綿、化繊などの生地で適宜長さの筒状に形成し、その両側部３を中央部４より細めに形成し、紐相互間に隙間１６を形成してある。上記洗浄紐２は筒状のものに代えて、厚手の平布地を使用することもできる。
５はプラスチックで形成した一対の側板６，７からなる把持板であって、各側板内側の適所に設けた凸部８と凹部９からなる結合手段で一体に接合し得るようにしてある共に両側板６，７にはその内側適所に突起１０と受片１１からなる洗浄紐止着手段を設けてある。又各側板６，７の前側には数個の弧状の凹所１２を対設して両側板結合時に把持板５の洗浄紐挟着口１４を形成できるようにしてある。
而して、上記各洗浄紐２の両端部１３，１３を各側板の凹所１２内に夫々被せ、両側板を結合手段で一体に接合し、前側に形成される挟着口１４で挟持すると共に各洗浄紐端部１３を止着手段で係止してある。
又図４に示すように把持板３５はその両側板３６，３７の後側にヒンジ部３１を設け一体に成形する場合もあり、その場合はヒンジ部１５で屈曲して内側に折り重ね得るようにしてあり、各側板の内側には上例と同様に凸部３８とこれに嵌合する凹部３９からなる結合手段を適所に設けてあり、把持板３５の前側には上例と同様に各側板３６，３７に弧状の凹所３２を対設して両側板結合時洗浄紐挟着口３３を４個形成できるようにしてある。
両側板３６，３７には上例と同様に突起４０と受片４１からなる洗浄紐の止着手段を設けてある。
而して各洗浄紐２の端部３３を凹所３２内に通して各挟着口３４で挟持してある。
なお、図示しないが、必要に応じて各洗浄紐の各挟着口の内側部分に稍太い抜け止め部を形成することもできる。
更に図５及び図６の実施例に示すように、把持板５５の中央部に指掛孔５４を形成する場合もある。この場合は、一対の両側板５６，５７は後側縁に設けたヒンジ５８で開閉できるようにし、後側を摘み部５９としても使用できるようにした。把持板５５の前側には洗浄紐挟着口６４を４個設け、両側板５６，５７の内側には結着手段としての凸部６８と凹部６９が対設してある。
而して洗浄紐６２は２本ずつその両端部６３を結合して洗浄紐挟着口６４に係着したが、１本の帯状の長い紐を用いて両把持板５５，５５の挟着口６４，６４に亘る適宜長さ毎に屈曲させて、４本の洗浄紐６２を同時に連設形成することもできる。なお、必要に応じて洗浄紐６２の各挟着口６４の内側に当たる位置に稍太い抜け止め部４２を設けることもできる。
【符号の説明】
【０００８】
１    足指間洗浄具
２    洗浄紐
３    洗浄紐側部
４    洗浄紐中央部
５    把持板
６    側板
７    側板
８    凸部
９    凹部
１０  突起
１１  受片
１２  凹所
１３  洗浄紐端部
１４  挟着口
１６  隙間
３１  ヒンジ部
３２  凹所
３３  洗浄紐端部
３４  挟着口
３５  把持板
３６  把持板側板
３７  把持板側板
３８  凸部
３９  凹部
４０  突起
４１  受片
４２  抜け止め部
５４  指掛孔
５５  把持板
５６  側板
５７  側板
５８  ヒンジ
５９  摘み部
６２  洗浄紐
６３  洗浄紐端部
６４  洗浄紐挟着口
６８  凸部
６９  凹部
【図１】
2014036768.tif 000003
【図２】
2014036768.tif 000004
【図３】
2014036768.tif 000005
【図４】
2014036768.tif 000006
【図５】
2014036768.tif 000007
【図６】
2014036768.tif 000008